(57)【要約】【課題】余分な液状化粧料を好適に削ぎ落とし且つ扱き部材の開口頚部からの抜け出しを防止し且つ扱き部材を開口頚部に容易に装着する。【解決手段】扱き部材６を、弾性体の扱き筒１３とこれより硬い変形防止筒１４とが嵌合する２層構造１５とし、塗布具１１が扱き筒１３の掻き取り部８を通過する際に、塗布具１１に付着した余分な液状化粧料を、弾性体の掻き取り部１３により好適に削ぎ落とす一方で、硬い変形防止筒１４の鍔部１６と係合突起１７により開口頚部４を上下から挟む構成とし変形防止筒１４の係合突起１７を径方向に大きく突出させることで、扱き部材６の開口頚部４からの抜け出しを防止すると共に、このように係合突起１７を径方向に大きく突出させても、扱き部材６を開口頚部４に装着するにあたっては、変形防止筒１４内外を連通する複数のスリット１８により係合突起１７を内側に変位させることで、扱き部材６を開口頚部４に容易に装着する。【選択図】図１
2014014620.tif 000002
【特許請求の範囲】
【請求項１】
液状化粧料を収容する収容部及び当該収容部の端部の縮径する段差部を介して繋がる開口頚部を備えた容器本体と、有底筒状に構成されその開口端側が前記開口頚部の外周側に着脱自在に装着される蓋部と、前記開口頚部の内周側に装着された筒状の扱き部材と、前記蓋部に設けられ当該蓋部が前記容器本体の前記開口頚部に装着されたときに前記扱き部材の筒孔を通して前記容器本体の前記収容部内に進入する軸部及び当該軸部の先端に設けられ前記液状化粧料に浸漬する塗布体を備えた塗布具と、を具備した液状化粧料容器において、
前記扱き部材は、
弾性体の扱き筒と当該扱き筒より硬い変形防止筒を備えると共に、
前記扱き筒と前記変形防止筒とが嵌合する２層構造を備え、
前記変形防止筒は、
前記容器本体の前記開口頚部の上面に当接する鍔部と、
前記開口頚部の内周面より大きくされて前記容器本体の前記収容部内に位置し前記容器本体の前記段差部の内面に対して軸線方向に係合可能とされ抜け止めと成る係合突起と、
前記係合突起を内側に変位可能とするように筒内外を連通する複数のスリットと、を有し、
前記扱き筒は、
前記塗布具の前記軸部及び前記塗布体が通過する際に、付着している余分な液状化粧料を削ぎ落とすための掻き取り部を有することを特徴とする液状化粧料容器。
【請求項２】
前記２層構造は、内周側に前記変形防止筒が位置すると共に、外周側に前記扱き筒が位置し、
前記扱き筒は、前記変形防止筒の前記係合突起が貫通する貫通部を有することを特徴とする請求項１記載の液状化粧料容器。
【請求項３】
前記扱き筒及び前記変形防止筒は、２色成形により一体に成形されていることを特徴とする請求項２記載の液状化粧料容器。
【請求項４】
前記貫通部は、孔又は溝であることを特徴とする請求項２又は３記載の液状化粧料容器。
【請求項５】
前記変形防止筒は、前記２層構造において前記扱き筒より筒厚が薄く且つ前記係合突起を有することを特徴とする請求項１〜４の何れか一項に記載の液状化粧料容器。
【発明の詳細な説明】
【技術分野】
【０００１】
本発明は、液状化粧料を塗布するための液状化粧料容器に関する。
【背景技術】
【０００２】
従来、例えばマスカラ等の液状化粧料を収容する収容部を備えた液状化粧料容器にあっては、塗布具（塗布体及び当該塗布体を先端に備える軸部）が出し入れされる開口頚部に、塗布具に付着した余分な液状化粧料を掻き取り削ぎ落とすための掻き取り部（掻き取り孔）を備えた筒状部材を装着する場合が多い。このような液状化粧料容器では、塗布具を収容部内から引き上げ筒状部材の掻き取り部を通過させて、塗布具に付着した余分な液状化粧料を削ぎ落とす際に、筒状部材が塗布具に引っ張られて開口頚部から抜け出てしまうことがある。また、液状化粧料の接着性が高い場合には、上記塗布具を備えた蓋部を開口頚部に装着すると、筒状部材の上面に付着した液状化粧料が蓋部にくっついてしまい、蓋部を容器から取り外すと、蓋部に接着した状態で筒状部材が開口頚部から抜け出てしまうこともある。
【０００３】
以下の特許文献１では、筒状部材を、剛性のある変形防止筒と、柔軟で弾力性に富み内周側に掻き取り部を備えた扱き筒とが嵌合する２層構造とし、外周側の変形防止筒にあっては、上部のフランジ（鍔部）を、開口頚部（口頚部）の上面に延設すると共に、下部の係合突条を、開口頚部の内周面より径方向に突出させることで開口頚部の下面、すなわち、液状化粧料を収容する収容部と当該収容部に対して縮径する開口頚部とを繋ぐ段差部の内面に対して軸線方向に係合可能とし、これらのフランジ及び係合突条により開口頚部を上下から挟む構成となっている。そして、この特許文献１では、柔軟で弾力性に富む扱き筒の掻き取り部により、塗布具に付着した余分な液状化粧料を好適に削ぎ落とすことができると共に、剛性のある変形防止筒の係合突条により、筒状部材の開口頚部からの抜け出しを防止できるとされている。
【０００４】
また、以下の特許文献２では、内周側に掻き取り部を備えた筒状部材（パッキン）を、半硬質又は軟質な可撓性部材より成形し、上部の鍔部を、開口頚部の上面に当接させると共に、下部の鍔部を、開口頚部の内周面より大きくすることで、前述した段差部の内面に対して当接させ、これらの上下の鍔部により開口頚部を上下から挟む構成となっている。また、下部の鍔部の一部は、径方向に突出する（拡大する）補強用突起とされている。そして、この特許文献２では、可撓性の扱き筒の掻き取り部により、塗布具に付着した余分な液状化粧料を好適に削ぎ落とすことができると共に、補強用突起により、筒状部材の開口頚部からの抜け出しを防止できるとされている。また、この補強用突起を２色成形により硬質材とすることも記載されている。
【先行技術文献】
【特許文献】
【０００５】
【特許文献１】特開２００２−３４６４７号公報
【特許文献２】特開２００８−４４６４３号公報
【発明の概要】
【発明が解決しようとする課題】
【０００６】
しかしながら、特許文献１の容器では、筒状部材の開口頚部からの抜け出しを確実に防止するには、剛性のある変形防止筒の係合突条を径方向に大きく突出させる必要があるが、このように係合突条を大きく突出させると、剛性のある変形防止筒を開口頚部に対して装着するのが難しく、場合によっては、変形防止筒を開口頚部に挿入できず装着できないという問題を生じる。従って、剛性のある変形防止筒を開口頚部に挿入可能とすべく、変形防止筒の係合突条の突出長を小さくする必要があるが、このように係合突条の突出長を小さくすると、今度は、筒状部材が開口頚部から抜け出しやすくなってしまう。
【０００７】
また、特許文献２の容器では、筒状部材が半硬質又は軟質な可撓性部材のため、補強用突起がこれらと同質又は硬質の何れであっても、余分な液状化粧料を削ぎ落とす扱き動作の反復によって次第に強度が低下して変形しやすくなり、抜け出しを防止するには限界がある。また、補強用突起は、下部の鍔部の一部をさらに径方向に突出させたものであるから、筒状部材を開口頚部に装着する際に、筒状部材の補強用突起が設けられていない部分を外側から内方に押圧し細長くなるように変形させて開口頚部に挿入する必要があり、装着が非常に面倒且つ非効率である。
【０００８】
そこで、本発明は、掻き取り部を備えた筒状部材である扱き部材により、塗布具に付着した余分な液状化粧料を好適に削ぎ落とすことができる一方で、扱き部材の開口頚部からの抜け出しを防止できると共に、扱き部材を開口頚部に容易に装着できる液状化粧料容器を提供することを目的としている。
【課題を解決するための手段】
【０００９】
本発明による液状化粧料容器は、液状化粧料を収容する収容部及び当該収容部の端部の縮径する段差部を介して繋がる開口頚部を備えた容器本体と、有底筒状に構成されその開口端側が開口頚部の外周側に着脱自在に装着される蓋部と、開口頚部の内周側に装着された筒状の扱き部材と、蓋部に設けられ当該蓋部が容器本体の開口頚部に装着されたときに扱き部材の筒孔を通して容器本体の収容部内に進入する軸部及び当該軸部の先端に設けられ液状化粧料に浸漬する塗布体を備えた塗布具と、を具備した液状化粧料容器において、扱き部材は、弾性体の扱き筒と当該扱き筒より硬い変形防止筒を備えると共に、扱き筒と変形防止筒とが嵌合する２層構造を備え、変形防止筒は、容器本体の開口頚部の上面に当接する鍔部と、開口頚部の内周面より大きくされて容器本体の収容部内に位置し容器本体の段差部の内面に対して軸線方向に係合可能とされ抜け止めと成る係合突起と、係合突起を内側に変位可能とするように筒内外を連通する複数のスリットと、を有し、扱き筒は、塗布具の軸部及び塗布体が通過する際に、付着している余分な液状化粧料を削ぎ落とすための掻き取り部を有することを特徴としている。
【００１０】
このような液状化粧料容器によれば、開口頚部の内周側に装着される扱き部材は、弾性体の扱き筒と当該扱き筒より硬い変形防止筒とが嵌合する２層構造を有し、塗布具の軸部及び塗布体が扱き筒の掻き取り部を通過する際に、塗布具に付着した余分な液状化粧料は、弾性体の掻き取り部により好適に削ぎ落とされる一方で、当該扱き筒より硬い変形防止筒のその上部側の鍔部とその下部側の係合突起とにより開口頚部が上下から挟まれる構成のため、変形防止筒の係合突起を径方向に大きく突出させることで、扱き部材の開口頚部からの抜け出しが防止されると共に、このように係合突起が径方向に大きく突出していても、扱き部材を開口頚部に装着するにあたっては、変形防止筒に設けられ筒内外を連通する複数のスリットにより係合突起が内側に変位するため、扱き部材は開口頚部に容易に装着される。
【００１１】
ここで、２層構造は、内周側に変形防止筒が位置すると共に、外周側に扱き筒が位置し、扱き筒は、変形防止筒の係合突起が貫通する貫通部を有していると、これらの係合突起及び貫通部により、扱き筒からの変形防止筒の離脱（抜け出し）が防止される。
【００１２】
また、扱き筒及び変形防止筒は、２色成形により一体に成形されていると、共通金型及び１次金型により成形された変形防止筒に対し２次金型を用いて当該変形防止筒に扱き筒を一体成形でき、変形防止筒と扱き筒を組み立てることなく扱き部材を得ることができる。
【００１３】
ここで、上記作用を効果的に奏する貫通部の構成としては、具体的には、孔又は溝が挙げられる。
【００１４】
また、変形防止筒は、２層構造において扱き筒より筒厚が薄く且つ係合突起を有していると、上記変形防止筒のスリットの作用に加えて、変形防止筒の係合突起が内側に一層変位しやすくされ、扱き部材は開口頚部に一層容易に装着される。
【発明の効果】
【００１５】
このように本発明によれば、塗布具に付着した余分な液状化粧料を好適に削ぎ落とすことができる一方で、扱き部材の開口頚部からの抜け出しを防止できると共に、扱き部材を開口頚部に容易に装着できる。
【図面の簡単な説明】
【００１６】
【図１】本発明の一実施形態に係る液状化粧料容器を示す縦断面図である。
【図２】図１中の変形防止筒を斜め下方から見た斜視図である。
【図３】図１中の変形防止筒を斜め上方から見た斜視図である。
【図４】図１中の変形防止筒の正面図である。
【図５】図４に示す変形防止筒の側面図である。
【図６】図５のVI-VI矢視図である。
【図７】図１中の扱き筒を斜め下方から見た斜視図である。
【図８】図１中の扱き筒を斜め上方から見た斜視図である。
【図９】図１中の扱き筒の正面図である。
【図１０】図９のX-X矢視図である。
【図１１】図１中の扱き部材を斜め下方から見た斜視図である。
【図１２】図１中の扱き部材の正面図である。
【図１３】図１２に示す扱き部材の側面図である。
【図１４】図１３のXIV-XIV矢視図である。
【発明を実施するための形態】
【００１７】
以下、本発明による液状化粧料容器の好適な実施形態について図１〜図１４を参照しながら説明する。図１は、本発明の一実施形態に係る液状化粧料容器を示す縦断面図、図２〜図６は、図１中の変形防止筒を示す各図、図７〜図１０は、図１中の扱き筒を示す各図、図１１〜図１４は、図１中の扱き部材を示す各図であり、本実施形態の液状化粧料容器１００は、使用者により液状化粧料Ｌを被塗布部である顔等の皮膚に塗布するときに用いられるものである。液状化粧料Ｌは、ここでは、特に好適であるとして、マスカラとされているが、例えばアイライナー等の他の液状化粧料であっても勿論良く、種々の液状化粧料を採用できる。
【００１８】
図１に示すように、液状化粧料容器１００は、液状化粧料Ｌを収容する容器本体１と、この容器本体１に着脱自在に装着された塗布具付きキャップである蓋部２と、を概略具備している。
【００１９】
容器本体１は、ここでは、硬い樹脂製又は金属製とされ、液状化粧料Ｌを収容するための収容部３と、この収容部３の上部に一体に連設され当該収容部３に繋がる開口頚部４と、を備える。収容部３は、有底円筒状に構成されその内部に液状化粧料Ｌを収容し、開口頚部４は、収容部３より小径の円筒状に構成されて同軸に配置されると共に、収容部３の上端部の縮径する段差部（所謂肩部）１２を介して繋がり、その筒内が収容部３内に連通する構成とされている。段差部１２は、円形階段状（円環状の階段）に構成されている。
【００２０】
開口頚部４には、その外周面に、蓋部２を着脱自在に螺合するための雄螺子５が形成されている。また、開口頚部４には、蓋部２の後述する塗布具１１に付着している余分な液状化粧料Ｌを削ぎ落とす（掻き取る）ための円筒状の扱き部材６（詳しくは後述）が圧入により装着されている。
【００２１】
蓋部２は、有底円筒状に構成され、その開口端側の内周面に、開口頚部４の外周面の雄螺子５に螺合する雌螺子７を備えている。そして、蓋部２は、その雌螺子７を雄螺子５に螺合することで、容器本体１に対して着脱自在に装着される。
【００２２】
この蓋部２には、塗布具１１が設けられている。この塗布具１１は、蓋部２内から容器本体１の収容部３側（図示下方）に突出する軸部９と、この軸部９の先端に設けられた塗布体１０と、を備えている。
【００２３】
軸部９は、蓋部２より小径の円柱体を成し、扱き部材６の筒孔を通過し、さらに当該扱き部材６の掻き取り部８（掻き取り孔：詳しくは後述）を通過可能とされている。
【００２４】
塗布体１０は、ここでは、軸部９の片側において外側に向かって山型（三角形状）に突出する櫛歯２０を軸線方向に沿って一列に並設することで弓形を成すコームとされている。なお、塗布体１０はマスカラブラシでも良く、マスカラ以外の他の液状化粧料を用いる場合には、塗布体として、例えば、筆穂、ブラシ、刷毛、チップ等のアプリケータを用いることができる。
【００２５】
そして、蓋部２が容器本体１の開口頚部４に螺子５，７の螺合により装着されると（蓋部２が締められると）、軸部９は、扱き部材６の掻き取り部８を通して容器本体１の収容部３内に進入し、塗布体１０は、収容部３に貯留されている液状化粧料Ｌに浸漬する構成とされている。
【００２６】
扱き部材６は、図１及び図１１〜図１４に示すように、下部側に扱き筒１３を備えると共に上部側に変形防止筒１４を備え、これらの扱き筒１３の上部と変形防止筒１４の下部とが径方向に重なり嵌合する２層構造１５を有している。この２層構造１５では、内周側に変形防止筒１４の下部が位置すると共に外周側に扱き筒１３の上部が位置する。
【００２７】
扱き筒１３は弾性体とされ、変形防止筒１４は、ここでは、硬質体とされている。扱き筒１３の材質としては、例えば、ＴＰＵ、ＴＰＥ、ゴム材、軟質ＰＰ、軟質ＰＥ、シリコンゴム等が挙げられる。変形防止筒１４の材質は、扱き筒と異材質でも、扱き筒と同材質でも良く、例えば、ＴＰＵ、ＴＰＥ、ゴム材、ＰＰ、ＰＥ、シリコンゴム等が挙げられ、要は、弾性体の扱き筒１３より硬ければ良い。
【００２８】
変形防止筒１４は、図１〜図６に示すように、円筒の下半部の外径が上半部の外径に比して小さくされた段付き円筒形状を成し、その下半部である小径部が、２層構造１５を構成し扱き筒１３と嵌合する嵌合部とされている。この変形防止筒１４の上端には、円環状の鍔部１６が設けられている。この鍔部１６は、その下端面が開口頚部４の上端面に当接することで、扱き部材６のそれ以上下方への移動を阻止する。この鍔部１６上には、蓋部２が容器本体１の開口頚部４に装着されたときに、蓋部２の内側の面２２と密着する気密用の環状突起２１が設けられている。
【００２９】
また、変形防止筒１４には、その下端から上方に向かって所定長延び筒内外を連通するスリット１８が設けられている。このスリット１８は、周方向に沿って半周ごとに１対が離間して設けられ、半周分の一方のスリット１８，１８と半周分の他方のスリット１８，１８とが互いに対向するように設けられている。そして、スリット１８，１８同士の間の周壁は、その上部が片持ち支持されて径方向に可撓性を有する半島部とされ、そのうちの対向する一方の組（ここでは円弧の長さが短い同士の組）の半島部２３のみに係合突起１７がそれぞれ設けられている。この係合突起１７は、半島部２３の下部外周面に、径方向に円弧状を成し張り出すようにそれぞれ設けられている。
【００３０】
このように、変形防止筒１４には、係合突起１７を有する半島部２３と係合突起のない半島部が周方向に交互に並び、係合突起１７を有する半島部２３が２箇所に設けられている。この係合突起１７は、容器本体１の開口頚部４の内周面より大きく収容部２内に位置するような大きさで大きく突出している。そして、この係合突起１７は、段差部１２の内面に対して軸線方向に係合可能とされ、扱き部材６のそれ以上上方への移動を阻止する抜け止めとして機能する。
【００３１】
斯くの如く、変形防止筒１４は、その上部側の鍔部１６と下部側の係合突起１７とにより、開口頚部４を上下から挟む構成とされている。
【００３２】
扱き筒１３は、図７〜図１０に示すように、有底円筒状の底部の略中央に、塗布具１１（軸部９及び塗布体１０）が通過する掻き取り部（掻き取り孔）８を備えている。この掻き取り部８は、塗布具１１に付着する余分な液状化粧料Ｌを削ぎ落とすことができる大きさとされている。
【００３３】
この扱き筒１３の下部には、変形防止筒１４の係合突起１７が貫通する貫通部(貫通孔)１９が横方向に延びるように設けられている。また、扱き筒１３の内周面で貫通部１９の両側の位置には、後方に突出し、変形防止筒の１４のスリット１８に進入して充填される凸部２４が上下に延びるように設けられている。
【００３４】
次に、このような構成の扱き筒１３及び変形防止筒１４から成る扱き部材６の製造について説明する。
【００３５】
本実施形態では、扱き部材６は２色成形により成形されている。具体的には、先ず、共通金型に１次金型を被せて図２〜図６に示す変形防止筒１４を成形し、次いで、共通金型上の変形防止筒１４に２次金型を被せて当該変形防止筒１４に図７〜図１０に示す扱き筒１３を一体成形する。これにより、図１１〜図１４に示すように、変形防止筒１４の係合突起１７が扱き筒１３の貫通部１９を貫通して外部に突出し、扱き筒１３の上部と変形防止筒１４の下半部である小径部とが２層構造１５を成して嵌合し（接合し）、さらに、図１４に示すように、変形防止筒１４のスリット１８に、扱き筒１３の凸部２４が進入し充填された（穴埋めされた）状態の扱き部材６が得られる。
【００３６】
この扱き部材６にあっては、変形防止筒１４の２層構造１５より上側の大径部の外周面と、２層構造１５の外周面（扱き筒１３の外周面）とが面一とされ、２層構造１５において変形防止筒１４の筒厚が扱き筒１３の筒厚より薄くされている。
【００３７】
そして、このような構成の扱き部材６を容器本体１の開口頚部４に圧入し装着するにあたっては、変形防止筒１４の係合突起１７が径方向に大きく突出しているが、変形防止筒１４の複数のスリット１８により半島部２３は可撓性を有しているため、当該半島部２３は内側に撓み、係合突起１７は内側に変位する。このとき、変形防止筒１４のスリット１８に進入し充填されている扱き筒１３の凸部２４は弾性体であるため、変形防止筒１４の係合突起１７が内側に変位する際にこれに容易に追従する。そして、変形防止筒１４の係合突起１７が開口頚部４を通過すると、可撓性を有する半島部２３は元の状態に復帰し、係合突起１７も元の位置に復帰する。これにより、係合突起１７は、段差部１２の内面に対して軸線方向に対面し、軸線方向に係合可能とされる。斯くの如く、変形防止筒１４の係合突起１７が径方向に大きく突出していても、扱き部材６は開口頚部４に容易に装着される。
【００３８】
なお、本実施形態では、特に好ましいとして、扱き筒１３の貫通部１９を孔としているが、溝であっても良い。また、本実施形態では、特に好ましいとして、変形防止筒１４のスリット１８に、扱き筒１３の凸部２４が進入し充填される構成としているが、変形防止筒１４のスリット１８に扱き筒１３の一部が進入し充填される構成としなくても良く、扱き筒１３の凸部２４はなくても良い。
【００３９】
このように構成された液状化粧料容器１００を使用する場合には、図１に示す状態から、使用者は、蓋部２を回し螺子５，７の螺合を解除しながら引き上げて当該蓋部２を容器本体１から取り外す。このとき、扱き部材６の扱き筒１３の掻き取り部８を蓋部２の塗布具１１が通過し、弾性体である掻き取り部８の周縁が捲り上げられながら当該周縁により、塗布具１１の特に塗布体１０に付着した液状化粧料Ｌが削ぎ落とされる。
【００４０】
このとき、扱き筒１３が塗布具１１に引っ張られ扱き部材６には開口頚部４から抜け出る方向の力が作用するが、変形防止筒１４の係合突起１７が径方向に大きく突出しているため、当該係合突起１７が段差部１２に当接し、扱き部材６の開口頚部４からの抜け出しが防止される。
【００４１】
そして、塗布体１０に付着した液状化粧料Ｌを塗布し、塗布が終わったら、蓋部２を取り出し時とは逆方向に回し螺子５，７を螺合させながら当該蓋部２を容器本体１に装着する。
【００４２】
また、蓋部２が容器本体１に装着されたときに、変形防止筒１４の鍔部１６の上面に液状化粧料Ｌが付着し蓋部２の内側の面２２との間に挟まれている場合には、蓋部２を容器本体１から取り外す際に、変形防止筒１４の鍔部１６の上面と蓋部２の内側の面２２との間の液状化粧料Ｌにより、変形防止筒１４が蓋部２に引っ張られ扱き部材６に開口頚部４から抜け出る方向の力が作用する。特に、液状化粧料Ｌの接着性が高い場合には、これが顕著となる。しかしながら、本実施形態では、上述したように、変形防止筒１４の係合突起１７が径方向に大きく突出しているため、当該係合突起１７が段差部１２に当接し、扱き部材６の開口頚部４からの抜け出しが防止される。
【００４３】
このように、本実施形態においては、扱き部材６は、弾性体の扱き筒１３と当該扱き筒１３より硬い変形防止筒１４とが嵌合する２層構造１５を有し、塗布具１１が扱き筒１３の掻き取り部８を通過する際に、塗布具１１に付着した余分な液状化粧料Ｌを、弾性体の掻き取り部８により好適に削ぎ落とすことができる一方で、当該扱き筒１３より硬い変形防止筒１４のその上部側の鍔部１６とその下部側の係合突起１７とにより開口頚部４を上下から挟む構成のため、変形防止筒１４の係合突起１７を径方向に大きく突出させることで、扱き部材６の開口頚部４からの抜け出しを防止できると共に、このように係合突起１７が径方向に大きく突出していても、扱き部材６を開口頚部４に装着するにあたっては、変形防止筒１４に設けられ筒内外を連通する複数のスリット１８により係合突起１７が内側に変位するため、扱き部材６を開口頚部４に容易に装着できる。
【００４４】
また、本実施形態においては、２層構造１５は、内周側に変形防止筒１４が位置すると共に、外周側に扱き筒１３が位置し、扱き筒１３は、変形防止筒１４の係合突起１７が貫通する貫通部１９を有しているため、これらの係合突起１７及び貫通部１９により、扱き筒１３からの変形防止筒１４の離脱（抜け出し）を防止できる。特に扱き筒１３と変形防止筒１４とが異材質同士の場合には、２色成形において両者が接合し難い傾向にあるが、上述のように、変形防止筒１４の係合突起１７が扱き筒１３の貫通部１９を貫通しているため、接合し難い両筒１３，１４であっても離脱を防止できる。勿論、扱き筒１３と変形防止筒１４とが同材質同士の場合にも、係合突起１７及び貫通部１９により離脱を防止できるというのはいうまでもない。
【００４５】
また、扱き筒１３及び変形防止筒１４は、２色成形により一体に成形されているため、共通金型及び１次金型により成形された変形防止筒１４に対し２次金型を用いて当該変形防止筒１４に扱き筒１３を一体成形でき、変形防止筒１４と扱き筒１３を組み立てることなく扱き部材６を得ることができる。
【００４６】
また、変形防止筒１４は、２層構造１５において扱き筒１３より筒厚が薄く且つ係合突起１７を有しているため、上記変形防止筒１４のスリット１８の作用に加えて、変形防止筒１４の係合突起１７が内側に一層変位しやすくされ、扱き部材６を開口頚部４に一層容易に装着できる。
【００４７】
以上、本発明をその実施形態に基づき具体的に説明したが、本発明は上記実施形態に限定されるものではなく、例えば、上記実施形態においては、扱き部材６を容器本体１の開口頚部４に装着する際に、扱き部材６の係合突起１７が内側に変位しやすいように（半島部２３が内側に撓みやすいように）、スリット１８の下端は外部開放とされているが、係合突起１７が内側に変位できれば、スリット１８の下端は外部開放ではなく閉じられていても良い。
【００４８】
また、上記実施形態においては、特に好ましいとして、扱き部材６を、扱き筒１３と変形防止筒１４との２色成形としているが、上記構成の単品同士を嵌合し組み立てて扱き部材６としても良い。
【００４９】
また、２層構造１５の部分の外周側と内周側を上記実施形態とは逆にしても良い。すなわち、２層構造１５の部分の外周側を変形防止筒の下部とし、すなわち変形防止筒１４における２層構造１５より上側部分の外周側に連設されて下方に延び外周面に係合突起１７を有する構成とすると共に、２層構造１５の部分の内周側を扱き筒１３の上部とし、すなわち扱き筒１３の２層構造１５より下側部分の内周側に連設されて上方に延びる構成としても良い。この場合、扱き筒からの変形防止筒の離脱（抜け）を防止すべく、変形防止筒の係合突起１７の裏側に凸部を設け、この変形防止筒の凸部を、扱き筒に設けた貫通部に貫通させて係止する構成とするのが、より好ましい。
【００５０】
また、上記実施形態においては、特に好ましいとして、容器本体１を硬い樹脂製又は金属製としているが、容器本体１の収容部３を変形可能な弾性体としスクイーズ性を有するものとしても良い。
【符号の説明】
【００５１】
１…容器本体、２…蓋部、３…収容部、４…開口頚部、６…扱き部材、８…掻き取り部、９…軸部、１０…塗布体、１１…塗布具、１２…段差部、１３…扱き筒、１４…変形防止筒、１５…２層構造、１６…変形防止筒の鍔部、１７…変形防止筒の係合突起、１８…変形防止筒のスリット、１９…扱き筒の貫通部、１００…液状化粧料容器、Ｌ…液状化粧料。
【図１】
2014014620.tif 000003
【図２】
2014014620.tif 000004
【図３】
2014014620.tif 000005
【図４】
2014014620.tif 000006
【図５】
2014014620.tif 000007
【図６】
2014014620.tif 000008
【図７】
2014014620.tif 000009
【図８】
2014014620.tif 000010
【図９】
2014014620.tif 000011
【図１０】
2014014620.tif 000012
【図１１】
2014014620.tif 000013
【図１２】
2014014620.tif 000014
【図１３】
2014014620.tif 000015
【図１４】
2014014620.tif 000016